(57)【特許請求の範囲】
【請求項１】
少なくとも導体と導体を絶縁する絶縁材とを含む複数の材料からなるプリント配線板に含まれる有害物質を管理する複合素材物品管理装置において、
プリント配線板に関連付けて、該プリント配線板の材料と、該材料ごとの面積と厚さとを含む該プリント配線板の仕様とが記憶されている材料記憶手段と、
有害物質を規制する規制指令に指定されている特定物質が、該規制指令に関連付けて記憶されている規制物質記憶手段と、
プリント配線板の作成に用いられる材料を生成する材料メーカから取得した情報であり、材料に含まれている物質と、該材料中に含有する特定物質の含有率とを含む該情報が記憶されている材料物質記憶手段と、
入力されたプリント配線板の仕様に基づいて、前記材料記憶手段内のプリント配線板を特定すると、該特定されたプリント配線板を構成する材料を前記材料記憶手段から抽出する材料抽出手段と、
プリント配線板が対象となる規制指令が入力されると、該規制指令によって指定されている特定物質を前記規制物質記憶手段から抽出する規制物質抽出手段と、
前記材料物質記憶手段から、前記抽出された材料に含まれる物質を抽出し、抽出した該物質が、前記抽出された特定物質を含むかどうかを判定する規制物質含有判定手段と、
前記特定されたプリント配線板の仕様を前記材料記憶手段から抽出し、該抽出した仕様に示される材料ごとの面積と厚さとに基づいて、前記特定されたプリント配線板の材料の体積を算出する体積算出手段と、
前記特定されたプリント配線板に材料として含まれる特定物質の体積と含有率とから、前記特定されたプリント配線板に含有する該特定物質の含有量を算出する量算出手段と、
を有することを特徴とする複合素材物品管理装置。
【請求項２】
前記材料記憶手段には、プリント配線板に関連付けて該プリント配線板の製造が認定されたベンダが記憶されており、
前記材料抽出手段が、ベンダと仕様に基づいてプリント配線板を特定することを特徴とする請求項１記載の複合素材物品管理装置。
【請求項３】
少なくとも導体と導体を絶縁する絶縁材とを含む複数の材料からなるプリント配線板に含まれる有害物質を管理する複合素材物品管理方法において、
コンピュータが、
入力されたプリント配線板の仕様に基づいて、プリント配線板に関連付けて、該プリント配線板の材料と、該材料ごとの面積と厚さとを含む該プリント配線板の仕様とが記憶されている材料記憶手段内のプリント配線板を特定すると、該特定されたプリント配線板を構成する材料を、前記材料記憶手段から抽出し、
プリント配線板が対象となる、有害物質を規制する規制指令が入力されると、該規制指令によって指定されている特定物質を、規制指令に指定されている特定物質が、該規制指令に関連付けて記憶されている規制物質記憶手段から抽出し、
プリント配線板の作成に用いられる材料を生成する材料メーカから取得した情報であり、材料に含まれる物質と、該材料中に含有する特定物質の含有率とを含む該情報が記憶されている材料物質記憶手段から、前記抽出された材料に含まれる物質を抽出し、抽出した該物質が、前記抽出された特定物質を含むかどうかを判定し、
前記特定されたプリント配線板の仕様を前記材料記憶手段から抽出し、該抽出した仕様に示される材料ごとの面積と厚さとに基づいて、前記特定されたプリント配線板の材料の体積を算出するステップと、
前記特定されたプリント配線板に材料として含まれる特定物質の体積と含有率とから、前記特定されたプリント配線板に含有する該特定物質の含有量を算出する、
ことを特徴とする複合素材物品管理方法。
【請求項４】
少なくとも導体と導体を絶縁する絶縁材とを含む複数の材料からなるプリント配線板に含まれる有害物質を管理する複合素材物品管理プログラムにおいて、
コンピュータに、
入力されたプリント配線板の仕様に基づいて、プリント配線板に関連付けて、該プリント配線板の材料と、該材料ごとの面積と厚さとを含む該プリント配線板の仕様とが記憶されている材料記憶手段内のプリント配線板を特定すると、該特定されたプリント配線板を構成する材料を、前記材料記憶手段から抽出し、
プリント配線板が対象となる、有害物質を規制する規制指令が入力されると、該規制指令によって指定されている特定物質を、規制指令に指定されている特定物質が、該規制指令に関連付けて記憶されている規制物質記憶手段から抽出し、
プリント配線板の作成に用いられる材料を生成する材料メーカから取得した情報であり、材料に含まれる物質と、該材料中に含有する特定物質の含有率とを含む該情報が記憶されている材料物質記憶手段から、前記抽出された材料に含まれる物質を抽出し、抽出した該物質が、前記抽出された特定物質を含むかどうかを判定し、
前記特定されたプリント配線板の仕様を前記材料記憶手段から抽出し、該抽出した仕様に示される材料ごとの面積と厚さとに基づいて、前記特定されたプリント配線板の材料の体積を算出し、
前記特定されたプリント配線板に材料として含まれる特定物質の体積と含有率とから、前記特定されたプリント配線板に含有する該特定物質の含有量を算出する、
処理を実行させることを特徴とする複合素材物品管理プログラム。
【発明の詳細な説明】
【技術分野】
【０００１】
本発明は、複数の材料からなる複合素材物品に含まれる有害物質を管理する複合素材物品管理装置、複合素材物品管理方法、および複合素材物品管理プログラムに関する。
【背景技術】
【０００２】
近年、地球環境悪化の懸念から、製品に含有する有害物質の取り扱いが厳しくなってきた。そこで、製品に有害物質が含まれているか否かを判断し、含まれている場合には、どの程度有害物質が含まれているかを算出する有害物質管理システムが提案されている（たとえば、特許文献１参照）。以下に、従来の有害物質管理システムの概要を示す。
【０００３】
図２３は、従来の有害物質管理システムの概要を示す図である。図２３に示すように、従来は、部品に含有する有害物質に関するデータ３３０を部品メーカ２３０から受け取り、受け取ったデータ３３０を有害物質管理システム４００に記憶する。そして、製品を構成する部品に基づいて製品全体に含有する有害物質の有無を判定し、および有害物質の量を算出していた。
【０００４】
たとえば、部品１個に含有する有害物質の量がデータ３３０に設定されており、有害物質管理システム４００に製品に用いる部品に含有する有害物質の量が記憶される。そして、製品を構成する各部品の個数と部品１個に含有する有害物質の量から製品全体に含有する有害物質の有無を判定し、および有害物質の量を算出していた。
【特許文献１】特開２００３−２５６５０４号公報
【発明の開示】
【発明が解決しようとする課題】
【０００５】
しかし、複数の素材を組み合わせて作成されるプリント配線板などの複合素材物品は、その複合素材物品が組み込まれる製品の仕様が変わると複合素材物品の仕様も変わることが多く、複合素材物品の仕様があらかじめ決まっているということが少ない。
【０００６】
したがって、複合素材物品が組み込まれる製品を作るときには、個々に有害物質が含まれているか否かがあらかじめ決まっている部品を使って製品を作成するときに用いられていた有害物質管理システムを用いることができないので、仕様が変わる度に変わった仕様に基づいて複合素材物品に有害物質が含有するか否かを調べ直さなければならず、設計者の大きな負担になっているという問題があった。
【０００７】
本発明はこのような点に鑑みてなされたものであり、複合素材物品が対象となる規制指令に指定された有害物質が複合素材物品に含有するか否かを判定することができる複合素材物品管理装置を提供することを目的とする。
【０００８】
また、本発明の他の目的は、複合素材物品が対象となる規制指令に指定された有害物質が複合素材物品に含有するか否かを判定することができる複合素材物品管理方法を提供することである。
【０００９】
さらに、本発明の他の目的は、複合素材物品が対象となる規制指令に指定された有害物質が複合素材物品に含有するか否かを判定することができる複合素材物品管理プログラムを提供することである。
【課題を解決するための手段】
【００１０】
本発明では上記問題を解決するために、複数の材料からなる複合素材物品に含まれる有害物質を管理する複合素材物品管理装置において、前記複合素材物品に関連付けて前記複合素材物品の仕様と前記材料とが記憶されている材料記憶手段と、前記有害物質を規制する規制指令に指定されている特定物質が、指定されている前記規制指令に関連付けて記憶されている規制物質記憶手段と、前記材料に含まれている物質が、前記材料に関連付けて記憶されている材料物質記憶手段と、入力された前記複合素材物品の仕様に基づいて前記複合素材物品を特定すると、特定された前記複合素材物品を構成する前記材料を前記材料記憶手段から抽出する材料抽出手段と、前記複合素材物品が対象となる前記規制指令が入力されると、前記規制指令によって指定されている前記規制物質を前記規制物質記憶手段から抽出する規制物質抽出手段と、前記材料抽出手段によって抽出された前記材料と、前記規制物質抽出手段によって抽出された前記物質とを受け取ると、前記材料に含まれる前記物質を前記材料物質記憶手段から抽出し、抽出した前記物質が、前記規制物質抽出手段によって抽出された前記規制物質を含むかどうかを判定する規制物質含有判定手段とを有することを特徴とする複合素材物品管理装置が提供される。
【００１１】
これにより、図１に示すように、材料記憶手段１ａには、複合素材物品に関連付けて複合素材物品の仕様と材料とが記憶される。規制物質記憶手段１ｃには、有害物質を規制する規制指令に指定されている特定物質が、指定されている規制指令に関連付けて記憶される。材料物質記憶手段１ｅには、材料に含まれている物質が、材料に関連付けて記憶される。材料抽出手段１ｂが、入力された複合素材物品の仕様に基づいて複合素材物品を特定すると、特定された複合素材物品を構成する材料を材料記憶手段１ａから抽出する。規制物質抽出手段１ｄが、複合素材物品が対象となる規制指令が入力されると、規制指令によって指定されている規制物質を規制物質記憶手段１ｃから抽出する。規制物質含有判定手段１ｆが、材料抽出手段１ｂによって抽出された材料と、規制物質抽出手段１ｄによって抽出された物質とを受け取ると、材料に含まれる物質を材料物質記憶手段１ｅから抽出し、抽出した物質が、規制物質抽出手段１ｄによって抽出された規制物質を含むかどうかを判定する。
【００１２】
また、本発明では、複数の材料からなる複合素材物品に含まれる有害物質を管理する複合素材物品管理方法において、材料抽出手段が、入力された前記複合素材物品の仕様に基づいて前記複合素材物品を特定すると、特定された前記複合素材物品を構成する前記材料を前記複合素材物品に関連付けて前記複合素材物品の仕様と前記材料とが記憶されている材料記憶手段から抽出するステップと、規制物質抽出手段が、前記複合素材物品が対象となる規制指令が入力されると、前記規制指令によって指定されている規制物質を前記有害物質を規制する規制指令に指定されている特定物質が、指定されている前記規制指令に関連付けて記憶されている規制物質記憶手段から抽出するステップと、規制物質含有判定手段が、前記材料抽出手段によって抽出された前記材料と、前記規制物質抽出手段によって抽出された前記物質とを受け取ると、前記材料に含まれる前記物質を前記材料に含まれている物質が、前記材料に関連付けて記憶されている材料物質記憶手段から抽出し、抽出した前記物質が、前記規制物質抽出手段によって抽出された前記規制物質を含むかどうかを判定するステップとを含むことを特徴とする複合素材物品管理方法が提供される。
【００１３】
これにより、材料抽出手段が、入力された複合素材物品の仕様に基づいて複合素材物品を特定すると、特定された複合素材物品を構成する材料を複合素材物品に関連付けて複合素材物品の仕様と材料とが記憶されている材料記憶手段から抽出する。規制物質抽出手段が、複合素材物品が対象となる規制指令が入力されると、規制指令によって指定されている規制物質を、有害物質を規制する規制指令に指定されている特定物質が、指定されている規制指令に関連付けて記憶されている規制物質記憶手段から抽出する。規制物質含有判定手段が、材料抽出手段によって抽出された材料と、規制物質抽出手段によって抽出された物質とを受け取ると、材料に含まれる物質を材料に含まれている物質が、材料に関連付けて記憶されている材料物質記憶手段から抽出し、抽出した物質が、規制物質抽出手段によって抽出された規制物質を含むかどうかを判定する。
【００１４】
また、本発明では、複数の材料からなる複合素材物品に含まれる有害物質を管理する複合素材物品管理プログラムにおいて、コンピュータを、入力された前記複合素材物品の仕様に基づいて前記複合素材物品を特定すると、特定された前記複合素材物品を構成する前記材料を前記複合素材物品に関連付けて前記複合素材物品の仕様と前記材料とが記憶されている材料記憶手段から抽出する材料抽出手段、前記複合素材物品が対象となる規制指令が入力されると、前記規制指令によって指定されている規制物質を前記有害物質を規制する規制指令に指定されている特定物質が、指定されている前記規制指令に関連付けて記憶されている規制物質記憶手段から抽出する規制物質抽出手段、前記材料抽出手段によって抽出された前記材料と、前記規制物質抽出手段によって抽出された前記物質とを受け取ると、前記材料に含まれる前記物質を前記材料に含まれている物質が、前記材料に関連付けて記憶されている材料物質記憶手段から抽出し、抽出した前記物質が、前記規制物質抽出手段によって抽出された前記規制物質を含むかどうかを判定する規制物質含有判定手段として機能させることを特徴とする複合素材物品管理プログラムが提供される。
【００１５】
これにより、材料抽出手段が、入力された複合素材物品の仕様に基づいて複合素材物品を特定すると、特定された複合素材物品を構成する材料を複合素材物品に関連付けて複合素材物品の仕様と材料とが記憶されている材料記憶手段から抽出する。規制物質抽出手段が、複合素材物品が対象となる規制指令が入力されると、規制指令によって指定されている規制物質を、有害物質を規制する規制指令に指定されている特定物質が、指定されている規制指令に関連付けて記憶されている規制物質記憶手段から抽出する。規制物質含有判定手段が、材料抽出手段によって抽出された材料と、規制物質抽出手段によって抽出された物質とを受け取ると、材料に含まれる物質を材料に含まれている物質が、材料に関連付けて記憶されている材料物質記憶手段から抽出し、抽出した物質が、規制物質抽出手段によって抽出された規制物質を含むかどうかを判定する。
【発明の効果】
【００１６】
本発明の複合素材物品管理装置、複合素材物品管理方法、および複合素材物品管理プログラムによれば、複合素材物品が対象となる規制指令に指定された有害物質が複合素材物品に含有するか否かを判定することができるので、設計者の設計に要する処理を軽減することができる。
【発明を実施するための最良の形態】
【００１７】
以下、本発明の実施の形態を図面を参照して詳細に説明する。
図１は、本実施の形態に適用される発明の概念図である。図１に示すように、複合素材物品管理装置１は、材料記憶手段１ａ、材料抽出手段１ｂ、規制物質記憶手段１ｃ、規制物質抽出手段１ｄ、材料物質記憶手段１ｅ、および規制物質含有判定手段１ｆを備えている。
【００１８】
材料記憶手段１ａには、複合素材物品の仕様と複合素材物品の材料が複合素材物品に関連付けて記憶されている。たとえば、複合素材物品がプリント配線板であるとき、仕様はプリント配線板の層構成や、基材の種類である。
【００１９】
材料抽出手段１ｂは、複合素材物品の仕様が入力されると、入力された仕様に基づいて複合素材物品を特定し、特定した複合素材物品の材料を抽出する。たとえば、プリント配線板の層構成と、基材の種類が入力されると、入力されたプリント配線板の層構成と、基材の種類からプリント配線板を特定し、特定したプリント配線板の材料を抽出する。
【００２０】
規制物質記憶手段１ｃには、有害物質を規制するための複数ある規制指令のうち、少なくとも１の規制指令に指定されている特定物質が、指定されている規制指令に関連付けて記憶されている。
【００２１】
規制物質抽出手段１ｄは、複合素材物品が対象となる規制指令が入力されると、入力された規制指令に指定されている特定物質を規制物質記憶手段１ｃから抽出する。
材料物質記憶手段１ｅには、複合素材物品を作成するときに用いられる材料に含まれている物質が材料に関連付けて記憶されている。
【００２２】
規制物質含有判定手段１ｆは、材料抽出手段１ｂによって抽出された複合素材物品の材料と、規制物質抽出手段１ｄによって抽出された特定物質を受け取ると、複合素材物品の材料に含まれる物質を材料物質記憶手段１ｅから抽出し、抽出した物質が特定物質を含むかどうかを判定する。つまり、複合素材物品が特定物質を含むかどうかを判定する。
【００２３】
このように、複合素材物品が対象となる規制指令に指定された有害物質が複合素材物品に含有するか否かを判定することができるので、設計者の設計に要する処理を軽減することができる。
【００２４】
次に、本発明の複合素材物品管理装置をプリント配線板管理装置に適用した場合の実施の形態について図面を参照して詳細に説明する。
図２は、本実施の形態に係るシステム構成例を示す図である。図２に示すように、プリント配線板管理装置１００は、プリント配線板を作成するときに配線板メーカ２２０が用いる材料に含有する有害物質に関するデータ３１０を材料メーカ２１０から受け取る。また、配線板メーカ２２０がプリント配線板を作成するときにどの材料を用いてプリント配線板を作成するかに関するデータ３２０を配線板メーカ２２０から受け取る。
【００２５】
そして、受け取ったデータ３１０、３２０と、入力される仕様などのプリント配線板に関する情報に基づいて、プリント配線板全体に含有する有害物質の有無を判定し、および有害物質の量を算出する。
【００２６】
有害物質管理システム４００は、プリント配線板全体に含有する有害物質の有無および有害物質の量に関するデータ３４０をプリント配線板管理装置１００から受け取り、部品に含有する有害物質に関するデータ３３０を部品メーカ２３０から受け取る。そして、製品を構成するプリント配線板を含む部品に基づいて製品全体に含有する有害物質の有無を判定し、および有害物質の量を算出する。
【００２７】
図３は、本実施の形態に用いるプリント配線板管理装置のハードウェア構成例を示す図である。プリント配線板管理装置１００は、ＣＰＵ（Central Processing Unit）１０１によって装置全体が制御されている。ＣＰＵ１０１には、バス１０７を介してＲＡＭ（Random Access Memory）１０２、ハードディスクドライブ（ＨＤＤ:Hard Disk Drive）１０３、グラフィック処理装置１０４、入力インタフェース１０５、および通信インタフェース１０６が接続されている。
【００２８】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００２９】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０７を介してＣＰＵ１０１に送信する。
【００３０】
通信インタフェース１０６は、ネットワーク１０に接続されている。通信インタフェース１０６は、ネットワーク１０を介して、他のコンピュータとの間でデータの送受信を行う。以上のようなハードウェア構成によって、本実施の形態の処理機能を実現することができる。
【００３１】
次に、プリント配線板管理装置１００が有する処理機能について説明する。
図４は、プリント配線板管理装置の処理機能を示す図である。図４に示すように、プリント配線板管理装置１００は、認定メーカ情報記憶部１１１、材料特定部１１２、規制物質情報記憶部１１３、規制情報抽出部１１４、有害物質情報記憶部１１５、有害物質有無判定部１１６、仕様情報記憶部１１７、結果情報記憶部１１８、体積算出部１１９、および有害物質量算出部１２０を備えている。
【００３２】
認定メーカ情報記憶部１１１には、発注元である製造メーカが発注可能と認定したプリント配線板の種類と、その種類のプリント配線板を作成するときに用いられる材料の材料品番が、プリント配線板の発注先である配線板メーカの工場名に関連付けて記憶されている認定メーカ情報が格納されている。認定メーカ情報については後述する。
【００３３】
材料特定部１１２は、入力されるプリント配線板の仕様情報に基づいて、プリント配線板を作成するときに用いられる材料を特定する。
規制物質情報記憶部１１３には、複数ある有害物質に関する規制のうち、少なくとも１つの規制対象となっている物質が、規制ごとにその規制対象となっているか否か、および規制対象となっている場合であって対象物質に関する情報がある場合にはその情報が記憶された規制物質情報が格納されている。規制物質情報については後述する。
【００３４】
規制情報抽出部１１４は、作成しようとしているプリント配線板が組み込まれる製品が対象となる可能性がある規制名が入力されると、入力された規制名の規制の対象となっている有害物質に関する情報を規制物質情報から抽出する。
【００３５】
有害物質情報記憶部１１５には、プリント配線板の材料に関連付けて、規制の対象となる有害物質が含まれているか否か、および有害物質が含まれている場合には、有害物質が含まれている部位や有害物質の量が記憶されている有害物質情報が格納されている。有害物質情報については後述する。
【００３６】
有害物質有無判定部１１６は、材料特定部１１２が特定したプリント配線板が作成されるときに用いられる材料、規制情報抽出部１１４が抽出したプリント配線板が組み込まれる製品が対象となる可能性がある規制に規定されている有害物質に関する情報、およびプリント配線板が作成されるときに用いられる材料に有害物質が含まれるか否かの情報から、プリント配線板が組み込まれる製品が対象となる可能性がある規制に規定されている物質がプリント配線板に含まれるか否かを判定する。
【００３７】
そして、仕様が確定している場合には、そのプリント配線板の仕様に関する情報を仕様情報記憶部１１７に仕様情報として記憶する。また、規制に規定されている物質が含まれるか否かの判定結果を結果情報記憶部１１８に結果情報として記憶する。仕様情報と結果情報については後述する。
【００３８】
体積算出部１１９は、仕様情報記憶部１１７からプリント配線板の仕様に関する情報を受け取り、有害物質が含まれる部分の体積を算出する。たとえば、導体部を絶縁するための絶縁部の体積を、仕様に関する情報に含まれている絶縁部の厚さや面積から算出する。
【００３９】
有害物質量算出部１２０は、材料内に含まれる有害物質の含有率を有害物質情報記憶部１１５から受け取る。また、有害物質が含まれる部分の体積を体積算出部１１９から受け取る。そして、受け取った有害物質の含有率と体積から有害物質の含有量を算出し、算出した含有量は結果情報記憶部１１８に結果情報として記憶する。
【００４０】
なお、材料特定部１１２に入力される仕様は手入力のように説明したが、材料特定部１１２が仕様情報記憶部１１７に記憶されている仕様情報を読み出して材料を決定してもよい。
【００４１】
次に、プリント配線板管理装置１００に格納される各種データの具体例について説明する。
図５は、認定メーカ情報のデータ構造例を示す図である。認定メーカ情報１３１には、配線板メーカ名、工場名、層構成、基材、および材料品番の各欄が設けられている。各欄の横方向に並べられた情報同士が互いに関連付けられ、プリント配線板を発注する先の配線板メーカに関するレコードを構成している。
【００４２】
配線板メーカ名の欄には、プリント配線板を発注する先の配線板メーカ名が設定されている。工場名の欄には、配線板メーカの工場名が設定されている。層構成の欄には、プリント配線板の層構成が設定されている。基材の欄には、プリント配線板に使用される基材の種類が設定されている。材料品番の欄には、関連付けられている配線板メーカ名の欄と工場名の欄から特定される工場で作成されるプリント配線板に用いられる材料の材料品番が設定されている。
【００４３】
同一の配線板メーカであっても工場によって作成するプリント配線板が異なることがある。また、プリント配線板を作成するときに用いる材料が工場ごとに異なることがある。そこで、認定メーカ情報１３１には配線板メーカ名と同時に工場名が設定されている。図５の例では、上から１つ目のレコードには、配線板メーカ“Ａ”の“ａ”工場では、層構成が“基幹ＰＣＳ（Personal Communication Services）用一般積層”であって、基材が“ＦＲ（Flame Retardant）−４”であって、材料品番として“銅はく１”、“コア材１”、および“プリプレグ１”と規定されている材料を用いてプリント配線板を作成されることが設定されている。また、上から４つ目のレコードには、上から１つ目のレコードに設定されている配線板メーカと同一の配線板メーカ“Ａ”の異なる工場の“ｂ”工場では、層構成と材料は同一であるが、基材が“高Ｔｇ（glass transition point）ＦＲ−４”であるプリント配線板を作成されることが設定されている。
【００４４】
図６は、規制物質情報のデータ構造例を示す図である。規制物質情報１３２には、物質の名称、ＲｏＨＳ（Restriction on Hazardous Substances）規制、ＪＧＰＳＳＩ（Japan Green Procurement Survey Standardization Initiative）番号、およびＪＧＰＳＳＩランクの各欄が設けられている。各欄の縦方向に並べられた情報同士が互いに関連付けられ、有害物質の規制に関するレコードを構成している。
【００４５】
物質の名称の欄には、有害物質に関する複数の規制のうち、１つでも規制に規定されている物質の名称が設定されている。ＲｏＨＳ規制の欄には、ＲｏＨＳ規制に規定されている物質か否かが“Ｙｅｓ”もしくは“Ｎｏ”を用いて設定されている。ＪＧＰＳＳＩ番号の欄には、ＪＧＰＳＳＩが物質ごとに定める物質群分類の番号が設定されている。ＪＧＰＳＳＩランクの欄には、ＪＧＰＳＳＩが物質ごとに定める有害度に応じたランクが設定されている。
【００４６】
図６の例では、有害物質に関する規制としてＲｏＨＳ規制とＪＧＰＳＳＩ指定の２つが作成しようとしているプリント配線板が組み込まれる製品が対象となる可能性がある規制であるとする。また、規制物質情報１３２には、２つの物質が設定されている旨が示されているが、他にも物質が同様に設定されているものとし、図示は省略している。
【００４７】
図７は、有害物質情報のデータ構造例を示す図である。有害物質情報１３３には、材料品番、材料メーカ名、材料種類、調査単位（数値）１、調査単位（単位）１、調査単位（記事）１、調査単位（数値）２、調査単位（単位）２、調査単位（記事）２、物質１の含有有無、物質１の含有種類、物質１の含有量、物質１の含有量単位、物質１の含有部位、物質２の含有有無、物質２の含有種類、物質２の含有量、物質２の含有量単位、および物質２の含有部位の各欄が設けられている。各欄の縦方向に並べられた情報同士が互いに関連付けられ、プリント配線板の作成に用いられる材料に関するレコードを構成している。
【００４８】
材料品番の欄には、プリント配線板の作成に用いられる材料の材料品番が設定されている。材料メーカ名の欄には、プリント配線板の作成に用いられる材料を生成する材料メーカの名称が設定されている。材料種類の欄には、材料の種類が設定されている。調査単位（数値）１の欄には、有害物質の量を調査するときの基本単位となる調査単位の数値が設定されている。調査単位（単位）１の欄には、有害物質の量を調査するときの基本単位となる調査単位の単位が設定されている。調査単位（記事）１の欄には、有害物質の量を調査するときの特記事項が設定されている。調査単位（数値）２の欄には、有害物質の量を調査するときの基本単位となる調査単位の数値が設定されている。調査単位（単位）２の欄には、有害物質の量を調査するときの基本単位となる調査単位の単位が設定されている。調査単位（記事）２の欄には、有害物質の量を調査するときの特記事項が設定されている。物質１の含有有無の欄には、プリント配線板の作成に用いられる材料に物質１が含有しているか否かが設定されている。物質１の含有種類の欄には、プリント配線板の作成に用いられる材料に物質１が含有している場合に、どのような理由で含有したかが設定されている。物質１の含有量の欄には、プリント配線板の作成に用いられる材料に含有している物質１の量が設定されている。物質１の含有量単位の欄には、プリント配線板の作成に用いられる材料に含有している物質１の量の単位が設定されている。物質１の含有部位の欄には、プリント配線板の作成に用いられる材料に含有している物質１がどこに含有しているかが設定されている。物質２の含有有無の欄には、プリント配線板の作成に用いられる材料に物質２が含有しているか否かが設定されている。物質２の含有種類の欄には、プリント配線板の作成に用いられる材料に物質２が含有している場合に、どのような理由で含有したかが設定されている。物質２の含有量の欄には、プリント配線板の作成に用いられる材料に含有している物質２の量が設定されている。物質２の含有量単位の欄には、プリント配線板の作成に用いられる材料に含有している物質２の量の単位が設定されている。物質２の含有部位の欄には、プリント配線板の作成に用いられる材料に含有している物質２がどこに含有しているかが設定されている。たとえば、物質１がヒ素又はその化合物であり、物質２が臭素系難燃剤であるとする。
【００４９】
図７の例では、左から２つ目のレコードに設定されている“コア材３”は、銅はくと絶縁部から構成されており、それぞれに有害物質が含まれている可能性がある。そこで、有害物質の量を調査するときには、銅はくと絶縁部のそれぞれに対して調査が行われ、調査単位もそれぞれ設定されている。
【００５０】
図８は、仕様情報のデータ構造例を示す図である。仕様情報１３４には、配線板名、基材名、層構成、表面処理種類、個片面積、絶縁材厚さ（Ｌ（Layer）１〜Ｌ２）、絶縁材厚さ（Ｌ２〜Ｌ３）、絶縁材厚さ（Ｌ３〜Ｌ４）、絶縁材厚さ（Ｌ４〜Ｌ５）、絶縁材厚さ（Ｌ５〜Ｌ６）、絶縁材材料（Ｌ１〜Ｌ２）、絶縁材材料（Ｌ２〜Ｌ３）、絶縁材材料（Ｌ３〜Ｌ４）、絶縁材材料（Ｌ４〜Ｌ５）、絶縁材材料（Ｌ５〜Ｌ６）、導体面積（Ｌ１）、導体面積（Ｌ２）、導体面積（Ｌ３）、導体面積（Ｌ４）、導体面積（Ｌ５）、導体面積（Ｌ６）、銅はく厚さ（Ｌ１）、銅はく厚さ（Ｌ２）、銅はく厚さ（Ｌ３）、銅はく厚さ（Ｌ４）、銅はく厚さ（Ｌ５）、および銅はく厚さ（Ｌ６）の各欄が設けられている。各欄の縦方向に並べられた情報同士が互いに関連付けられ、プリント配線板の仕様に関するレコードを構成している。
【００５１】
配線板名の欄には、プリント配線板を一意に識別するための配線板の名称が設定されている。基材名の欄には、プリント配線板に用いられている基材の名称が設定されている。層構成の欄には、プリント配線板の層構成の種類が設定されている。表面処理種類の欄には、プリント配線板に施されている表面処理の種類が設定されている。個片面積の欄には、プリント配線板の面積が設定されている。絶縁材厚さの欄には、各層ごとの絶縁材の厚さが設定されている。絶縁材材料の欄には、各層ごとの絶縁材の材料が設定されている。導体面積の欄には、プリント配線板上に形成された導体の各層ごとの面積が設定されている。銅はく厚さの欄には、プリント配線板上に形成された導体である銅はくの各層ごとの厚さが設定されている。
【００５２】
以上のような機能およびデータを有しているプリント配線板管理装置１００により、以下の処理が行われる。
図９は、複合素材物品管理装置による有無判定処理の手順を示すフローチャートである。以下、図９に示す処理をステップ番号に沿って説明する。
【００５３】
〔ステップＳ１１〕材料特定部１１２は、プリント配線板の仕様が入力されると、入力された仕様に基づいて認定メーカ情報記憶部１１１から配線板メーカ名と工場名を抽出する。そして、抽出された配線板メーカ名と工場名から１の配線板メーカ名と工場名が選択されると、選択された配線板メーカ名と工場名においてプリント配線板が作成されるときに用いられる材料を特定する。つまり、選択された配線板メーカ名と工場名に関連付けられている材料の材料品番を取得する。
【００５４】
具体的には、プリント配線板の仕様として、層構成が“基幹ＰＣＳ用一般積層”、基材が“ＦＲ−４”と入力されると、認定メーカ情報記憶部１１１に格納されている認定メーカ情報１３１からプリント配線板を発注可能な配線板メーカの工場名として配線板メーカ“Ａ”の“ａ”工場と配線板メーカ“Ｃ”の“ｄ”工場を抽出する。そして、配線板メーカ“Ｃ”の“ｄ”工場が選択されると、配線板メーカ“Ｃ”の“ｄ”工場に関連付けられている材料の材料品番である“銅はく３”、“コア材３”、および“プリプレグ３”を取得する。
【００５５】
〔ステップＳ１２〕規制情報抽出部１１４は、プリント配線板が組み込まれる製品が対象となる可能性がある有害物質に関する規制の名称が入力されると、入力された規制の名称に基づいて規制物質情報記憶部１１３から規制の対象となっている規制物質に関する情報を取得する。
【００５６】
具体的には、プリント配線板が組み込まれる製品が対象となる可能性がある有害物質に関する規制の名称としてＪＧＰＳＳＩが入力されると、規制物質情報記憶部１１３に格納されている規制物質情報１３２からＪＧＰＳＳＩに指定されている物質に関する情報を取得する。
【００５７】
〔ステップＳ１３〕有害物質有無判定部１１６は、材料特定部１１２が特定した材料品番を取得し、取得した材料品番に関連付けられている材料に含有する物質に関する情報を有害物質情報記憶部１１５から取得する。また、規制情報抽出部１１４が取得した規制物質に関する情報を取得し、有害物質情報記憶部１１５から取得した材料に含有する物質に関する情報の中に規制物質が含まれるか否かを判断する。つまり、プリント配線板の材料に規制物質が含有しているか否かを判定する。
【００５８】
〔ステップＳ１４〕有害物質有無判定部１１６は、規制物質が含有するか否かの判定結果を結果情報記憶部１１８へ記憶する。また、規制物質が含有するか否かの判定を行ったプリント配線板の仕様を仕様情報記憶部１１７へ記憶する。
【００５９】
このような処理を行うことにより、プリント配線板が組み込まれる製品が対象となる規制指令に指定された有害物質がプリント配線板に含有するか否かを判定することができるので、設計者の設計に要する処理を軽減することができる。
【００６０】
図１０は、プリント配線板管理装置による量算出処理の手順を示すフローチャートである。以下、図１０に示す処理をステップ番号に沿って説明する。
〔ステップＳ２１〕体積算出部１１９は、量算出処理の開始指示を受けると、仕様情報記憶部１１７からプリント配線板の仕様を受け取り、受け取った仕様に基づいてプリント配線板の材料のうちで有害物質が含まれている材料の体積を算出する。
【００６１】
具体的には、プリント配線板上に形成された導体の中に有害物質が含まれている場合、仕様の中から導体の面積と厚さを受け取り、導体の体積を算出する。また、プリント配線板の絶縁部に有害物質が含まれている場合、仕様の中から絶縁部の面積と厚さを受け取り、絶縁部の体積を算出する。
【００６２】
〔ステップＳ２２〕有害物質量算出部１２０は、プリント配線板の材料に含まれる有害物質の単位体積あたりの質量を有害物質情報記憶部１１５から取得する。そして、取得した有害物質の単位体積あたりの質量に体積算出部１１９から受け取った材料の体積を乗算することにより、その材料に含まれている有害物質の量を算出する。
【００６３】
〔ステップＳ２３〕有害物質量算出部１２０は、算出した有害物質の量をプリント配線板ごとに結果情報記憶部１１８へ記憶する。
このような処理を行うことにより、プリント配線板が組み込まれる製品が対象となる規制指令に指定された有害物質がプリント配線板にどの程度含有しているかを算出することができるので、設計者の設計に要する処理を軽減することができる。
【００６４】
以下、上述の有無判定処理と量算出処理を行ったときの表示例を図面を参照して詳細に説明する。
図１１は、材料特定部が抽出した配線板メーカ名と工場名から１の配線板メーカ名と工場名が選択されたときの表示例を示す図である。図１１に示すように、表示例５００には、材料特定部１１２が抽出した配線板メーカ名と工場名から配線板メーカ“Ｃ”の“ｄ”工場が選択されると、配線板メーカ“Ｃ”の“ｄ”工場が生成するプリント配線板に関する情報が表示される。
【００６５】
このような表示例５００を表示することによって、ユーザがプリント配線板の材料を参照することが可能となる。したがって、たとえばユーザが表示された材料に有害物質が含まれていることを知っている場合には、表示されている配線板メーカの工場とは別の配線板メーカの工場を指定することが可能となる。
【００６６】
図１２は、有害物質の規制に関する情報を規制情報抽出部が抽出したときの表示例を示す図である。図１２に示すように、表示例５０１には、プリント配線板が組み込まれる製品が対象となる可能性がある有害物質に関する規制の名称としてＪＧＰＳＳＩが規制情報抽出部１１４に対して入力されると、規制物質情報記憶部１１３に格納されている規制物質情報１３２からＪＧＰＳＳＩに指定されている物質に関する情報を規制情報抽出部１１４が取得し、取得した物質に関する情報が表示される。
【００６７】
このような表示例５０１を表示することによって、ユーザがＪＧＰＳＳＩが定める規制物質に関する情報を一目で参照することが可能となる。たとえば、ヒ素又はその化合物と臭素系難燃剤はＲｏＨＳ規制の対象にはなっていないことなどが一目で参照することが可能となる。
【００６８】
図１３は、有害物質有無判定部が有害物質有無判定を行ったときの表示例を示す図である。図１３に示すように、表示例５０２には、材料品番ごとに素材メーカ名、調査単位、および単位体積あたりの重量が表示されている。また、材料品番ごとに規制物質が表示され、その規制物質の含有有無、および含有している場合には、含有量、含有部位、およびｐｐｍ（parts per million）が表示される。このような表示例５０２を表示することによって、どの材料にどの物質がどの部位にどの程度含有しているかが一目で参照することが可能となる。
【００６９】
図１４は、有害物質有無判定部が有害物質有無判定を行ったときの表示例を示す図である。図１４に示すように、表示例５０３には、規制名と含有判定結果のみが表示されている。このような表示例５０３を表示することによって、プリント配線板に規制物質が含有しているか否かのみを知りたいときには有効である。
【００７０】
図１５は、有害物質有無判定部が有害物質有無判定を行ったときの表示例を示す図である。図１５に示すように、表示例５０４には、プリント配線板に含まれると判定された有害物質の名称に関連付けて、含有材料、材料品番、素材メーカ名、含有有無、および含有種類が表示される。
【００７１】
このような表示例５０４を表示することによって、プリント配線板に含有している規制物質がどの材料に由来しているものなのかが一目で参照可能となる。したがって、規制物質が含有している材料を用いてプリント配線板を作成する配線板メーカの工場を避けて配線板メーカの工場を選び直すことが可能となる。
【００７２】
図１６は、プリント配線板の仕様を仕様情報記憶部に記憶するときの表示例である。図１６に示すように、表示例５０５には、プリント配線板に付された配線板名に関連付けて、層構成、基材、および表面処理が表示される。このような表示例５０５を表示することによって、プリント配線板の仕様を確認してから仕様情報記憶部１１７に記憶することが可能となる。
【００７３】
図１７は、プリント配線板の有害物質有無判定の結果を結果情報記憶部に記憶するときの表示例である。図１７に示すように、表示例５０６には、有害物質管理システム４００においてプリント配線板を一意に識別するためにプリント配線板に付された識別子である調査ＩＤ（IDentification）に関連付けて、配線板名、メーカ型格、配線板メーカ名、工場名、有害物質に関する規制ごとの含有判定結果が表示される。このような表示例５０６を表示することによって、プリント配線板の仕様とともに、有害物質有無判定の結果を確認してから結果情報記憶部１１８に記憶することが可能となる。
【００７４】
図１８は、体積算出部による有害物質含有材料の体積を算出するときの表示例である。図１８に示すように、表示例５０７には、銅はくの体積、コア材の銅はくの体積、コア材の絶縁部の体積、およびプリプレグの体積が算出されている様子が示されている。仕様情報記憶部１１７に記憶されている仕様情報１３４の中から各面積や厚さなどの必要な数値を読み取り、計算式にある数値が設定される。このような表示例５０７を表示することによって、どの材料がどの程度の体積であるかが一目で参照可能となる。
【００７５】
図１９は、体積算出部による有害物質含有材料の体積を算出するときの表示例である。図１９に示すように、表示例５０８には、有害物質が含まれている含有材料と体積のみが表示されている。このような表示例５０８を表示することによって、どの材料がどの程度の体積があるかのみを知りたいときには有効である。
【００７６】
図２０は、体積算出部による有害物質含有材料の体積を算出するときの表示例である。図２０に示すように、表示例５０９には、プリント配線板に含まれると判定された有害物質の名称に関連付けて、含有量合計、含有材料、材料品番、素材メーカ名、各材料ごとの含有量、含有有無、および含有種類が表示される。
【００７７】
このような表示例５０９を表示することによって、プリント配線板に規制物質がどの程度含有しているかが一目で参照可能となると同時に、どの材料に由来しているものなのかが一目で参照可能となる。したがって、有害物質に関する規制に閾値がある場合に、規制物質が閾値を超えそうか否かや、規制物質が含有している材料を用いてプリント配線板を作成する配線板メーカの工場を避けて配線板メーカの工場を選び直すことが可能となる。
【００７８】
図２１は、プリント配線板の仕様を仕様情報記憶部に記憶するときの表示例である。図２１に示すように、表示例５１０には、プリント配線板に付された配線板名に関連付けて、層構成、基材、表面処理、個片面積、プリント配線板の層に付された層番号、導体体積、厚さ、および絶縁体材料が表示される。このような表示例５１０を表示することによって、プリント配線板の仕様を確認してから仕様情報記憶部１１７に記憶することが可能となる。
【００７９】
図２２は、プリント配線板の有害物質量算出の結果を結果情報記憶部に記憶するときの表示例である。図２２に示すように、表示例５１１には、有害物質管理システム４００においてプリント配線板を一意に識別するためにプリント配線板に付された識別子である調査ＩＤに関連付けて、配線板名、メーカ型格、配線板メーカ名、工場名、有害物質に関する規制ごとの含有判定結果、および有害物質の含有量が表示される。
【００８０】
このような表示例５１１を表示することによって、プリント配線板の仕様とともに、有害物質の含有量の結果を確認してから結果情報記憶部１１８に記憶することが可能となる。また、調査ＩＤに関連付けられて有害物質の含有量が結果情報記憶部１１８に記憶され、結果情報記憶部１１８に記憶された情報を有害物質管理システム４００に記憶することと、各プリント配線板を有害物質管理システム４００で取り扱うことが可能となる。
【００８１】
なお、上記の処理機能は、コンピュータによって実現することができる。その場合、複合素材物品管理装置が有すべき機能の処理内容を記述した複合素材物品管理プログラムが提供される。その複合素材物品管理プログラムをコンピュータで実行することにより、上記処理機能がコンピュータ上で実現される。処理内容を記述した複合素材物品管理プログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、フレキシブルディスク、磁気テープなどがある。光ディスクには、ＤＶＤ（Digital Versatile Disc）、ＤＶＤ−ＲＡＭ、ＣＤ−ＲＯＭ（Read Only Memory）、ＣＤ−Ｒ（Recordable）／ＲＷ（ReWritable）などがある。光磁気記録装置には、ＭＯ（Magneto Optical disk）などがある。
【００８２】
複合素材物品管理プログラムを流通させる場合には、たとえば、その複合素材物品管理プログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにその複合素材物品管理プログラムを転送することもできる。
【００８３】
複合素材物品管理プログラムを実行するコンピュータは、たとえば、可搬型記録媒体に記録された複合素材物品管理プログラムもしくはサーバコンピュータから転送された複合素材物品管理プログラムを、自己の記憶装置に格納する。そして、コンピュータは、自己の記憶装置から複合素材物品管理プログラムを読み取り、複合素材物品管理プログラムに従った処理を実行する。なお、コンピュータは、可搬型記録媒体から直接複合素材物品管理プログラムを読み取り、その複合素材物品管理プログラムに従った処理を実行することもできる。また、コンピュータは、サーバコンピュータから複合素材物品管理プログラムが転送される毎に、逐次、受け取った複合素材物品管理プログラムに従った処理を実行することもできる。
【００８４】
なお、本発明は、上述の実施の形態にのみ限定されるものではなく、本発明の要旨を逸脱しない範囲内において種々の変更を加えることができる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【００８５】
（付記１）  複数の材料からなる複合素材物品に含まれる有害物質を管理する複合素材物品管理装置において、
前記複合素材物品に関連付けて前記複合素材物品の仕様と前記材料とが記憶されている材料記憶手段と、
前記有害物質を規制する規制指令に指定されている特定物質が、指定されている前記規制指令に関連付けて記憶されている規制物質記憶手段と、
前記材料に含まれている物質が、前記材料に関連付けて記憶されている材料物質記憶手段と、
入力された前記複合素材物品の仕様に基づいて前記複合素材物品を特定すると、特定された前記複合素材物品を構成する前記材料を前記材料記憶手段から抽出する材料抽出手段と、
前記複合素材物品が対象となる前記規制指令が入力されると、前記規制指令によって指定されている前記規制物質を前記規制物質記憶手段から抽出する規制物質抽出手段と、
前記材料抽出手段によって抽出された前記材料と、前記規制物質抽出手段によって抽出された前記物質とを受け取ると、前記材料に含まれる前記物質を前記材料物質記憶手段から抽出し、抽出した前記物質が、前記規制物質抽出手段によって抽出された前記規制物質を含むかどうかを判定する規制物質含有判定手段と、
を有することを特徴とする複合素材物品管理装置。
【００８６】
（付記２）  前記材料記憶手段には、前記複合素材物品に関連付けて前記複合素材物品の製造が認定されたベンダが記憶されており、
前記材料抽出手段が、前記ベンダと前記仕様に基づいて前記複合素材物品を特定することを特徴とする付記１記載の複合素材物品管理装置。
【００８７】
（付記３）  前記材料物質記憶手段には、前記材料中に含有する前記特定物質の含有率が記憶されており、
入力された前記複合素材物品の仕様に基づいて前記複合素材物品の前記材料の体積を算出する体積算出手段と、
前記体積と前記含有率とから前記複合素材物品に含有する前記特定物質の含有量を算出する量算出手段と、
を有することを特徴とする付記１記載の複合素材物品管理装置。
【００８８】
（付記４）  複数の材料からなる複合素材物品に含まれる有害物質を管理する複合素材物品管理方法において、
材料抽出手段が、入力された前記複合素材物品の仕様に基づいて前記複合素材物品を特定すると、特定された前記複合素材物品を構成する前記材料を前記複合素材物品に関連付けて前記複合素材物品の仕様と前記材料とが記憶されている材料記憶手段から抽出するステップと、
規制物質抽出手段が、前記複合素材物品が対象となる規制指令が入力されると、前記規制指令によって指定されている規制物質を、前記有害物質を規制する規制指令に指定されている特定物質が、指定されている前記規制指令に関連付けて記憶されている規制物質記憶手段から抽出するステップと、
規制物質含有判定手段が、前記材料抽出手段によって抽出された前記材料と、前記規制物質抽出手段によって抽出された前記物質とを受け取ると、前記材料に含まれる前記物質を前記材料に含まれている物質が、前記材料に関連付けて記憶されている材料物質記憶手段から抽出し、抽出した前記物質が、前記規制物質抽出手段によって抽出された前記規制物質を含むかどうかを判定するステップと、
を含むことを特徴とする複合素材物品管理方法。
【００８９】
（付記５）  複数の材料からなる複合素材物品に含まれる有害物質を管理する複合素材物品管理プログラムにおいて、
コンピュータを、
入力された前記複合素材物品の仕様に基づいて前記複合素材物品を特定すると、特定された前記複合素材物品を構成する前記材料を前記複合素材物品に関連付けて前記複合素材物品の仕様と前記材料とが記憶されている材料記憶手段から抽出する材料抽出手段、
前記複合素材物品が対象となる規制指令が入力されると、前記規制指令によって指定されている規制物質を、前記有害物質を規制する規制指令に指定されている特定物質が、指定されている前記規制指令に関連付けて記憶されている規制物質記憶手段から抽出する規制物質抽出手段、
前記材料抽出手段によって抽出された前記材料と、前記規制物質抽出手段によって抽出された前記物質とを受け取ると、前記材料に含まれる前記物質を前記材料に含まれている物質が、前記材料に関連付けて記憶されている材料物質記憶手段から抽出し、抽出した前記物質が、前記規制物質抽出手段によって抽出された前記規制物質を含むかどうかを判定する規制物質含有判定手段、
として機能させることを特徴とする複合素材物品管理プログラム。
【００９０】
（付記６）  複数の部品からなる製品に含まれる有害物質を管理する製品含有物質管理装置において、
複合素材物品に関連付けて前記複合素材物品の仕様と材料とが記憶されている材料記憶手段と、
前記有害物質を規制する規制指令に指定されている特定物質が、指定されている前記規制指令に関連付けて記憶されている規制物質記憶手段と、
前記材料に含まれている物質が、前記材料に関連付けて記憶されている材料物質記憶手段と、
入力された前記複合素材物品の仕様に基づいて前記複合素材物品を特定すると、特定された前記複合素材物品を構成する前記材料を前記材料記憶手段から抽出する材料抽出手段と、
前記複合素材物品が対象となる前記規制指令が入力されると、前記規制指令によって指定されている規制物質を前記規制物質記憶手段から抽出する規制物質抽出手段と、
前記材料抽出手段によって抽出された前記材料と、前記規制物質抽出手段によって抽出された前記物質とを受け取ると、前記材料に含まれる前記物質を前記材料物質記憶手段から抽出し、抽出した前記物質が、前記規制物質抽出手段によって抽出された前記規制物質を含むかどうかを判定する規制物質含有判定手段と、
前記規制物質含有判定手段が判定した判定結果が前記複合素材物品に関連付けて記憶されている判定結果記憶手段と、
前記部品に有害物質が含まれているか否かを判定した結果が前記部品に関連付けて記憶されている部品結果記憶手段と、
入力された前記製品を構成する前記複合素材物品および前記部品に基づいて前記製品が前記規制物質を含むかどうかを判定する製品規制物質含有判定手段と、
を有することを特徴とする製品含有物質管理装置。
【００９１】
（付記７）  前記材料物質記憶手段には、前記材料中に含有する前記特定物質の含有率が記憶されており、
前記部品結果記憶手段には、前記部品に含有する前記特定物質の含有量が記憶されており、
入力された前記複合素材物品の仕様に基づいて前記複合素材物品の前記材料の体積を算出する体積算出手段と、
前記体積と前記含有率とから前記複合素材物品に含有する前記規制物質の含有量を算出する量算出手段と、
前記量算出手段が算出した前記複合素材物品に含有する前記規制物質の含有量と、前記部品に含有する前記規制物質の含有量とから、前記製品に含有する前記規制物質の含有量を算出する製品量算出手段と、
を有することを特徴とする付記６記載の製品含有物質管理装置。
【図面の簡単な説明】
【００９２】
【図１】本実施の形態に適用される発明の概念図である。
【図２】本実施の形態に係るシステム構成例を示す図である。
【図３】本実施の形態に用いるプリント配線板管理装置のハードウェア構成例を示す図である。
【図４】プリント配線板管理装置の処理機能を示す図である。
【図５】認定メーカ情報のデータ構造例を示す図である。
【図６】規制物質情報のデータ構造例を示す図である。
【図７】有害物質情報のデータ構造例を示す図である。
【図８】仕様情報のデータ構造例を示す図である。
【図９】複合素材物品管理装置による有無判定処理の手順を示すフローチャートである。
【図１０】プリント配線板管理装置による量算出処理の手順を示すフローチャートである。
【図１１】材料特定部が抽出した配線板メーカ名と工場名から１の配線板メーカ名と工場名が選択されたときの表示例を示す図である。
【図１２】有害物質の規制に関する情報を規制情報抽出部が抽出したときの表示例を示す図である。
【図１３】有害物質有無判定部が有害物質有無判定を行ったときの表示例を示す図である。
【図１４】有害物質有無判定部が有害物質有無判定を行ったときの表示例を示す図である。
【図１５】有害物質有無判定部が有害物質有無判定を行ったときの表示例を示す図である。
【図１６】プリント配線板の仕様を仕様情報記憶部に記憶するときの表示例である。
【図１７】プリント配線板の有害物質有無判定の結果を結果情報記憶部に記憶するときの表示例である。
【図１８】体積算出部による有害物質含有材料の体積を算出するときの表示例である。
【図１９】体積算出部による有害物質含有材料の体積を算出するときの表示例である。
【図２０】体積算出部による有害物質含有材料の体積を算出するときの表示例である。
【図２１】プリント配線板の仕様を仕様情報記憶部に記憶するときの表示例である。
【図２２】プリント配線板の有害物質量算出の結果を結果情報記憶部に記憶するときの表示例である。
【図２３】従来の有害物質管理システムの概要を示す図である。
【符号の説明】
【００９３】
１  複合素材物品管理装置
１ａ  材料記憶手段
１ｂ  材料抽出手段
１ｃ  規制物質記憶手段
１ｄ  規制物質抽出手段
１ｅ  材料物質記憶手段
１ｆ  規制物質含有判定手段
【図１】
0005245204.tif 000002
【図２】
0005245204.tif 000003
【図３】
0005245204.tif 000004
【図４】
0005245204.tif 000005
【図５】
0005245204.tif 000006
【図６】
0005245204.tif 000007
【図７】
0005245204.tif 000008
【図８】
0005245204.tif 000009
【図９】
0005245204.tif 000010
【図１０】
0005245204.tif 000011
【図１１】
0005245204.tif 000012
【図１２】
0005245204.tif 000013
【図１３】
0005245204.tif 000014
【図１４】
0005245204.tif 000015
【図１５】
0005245204.tif 000016
【図１６】
0005245204.tif 000017
【図１７】
0005245204.tif 000018
【図１８】
0005245204.tif 000019
【図１９】
0005245204.tif 000020
【図２０】
0005245204.tif 000021
【図２１】
0005245204.tif 000022
【図２２】
0005245204.tif 000023
【図２３】
0005245204.tif 000024